(57)【要約】【課題】操作がなされる操作面に付着した導電性異物の検出精度を向上させることができる入力装置を提供する。【解決手段】この入力装置１は、図１（ａ）〜図１（ｃ）に示すように、検出対象の検出が阻害された阻害領域１０６、及び検出対象の検出が許容された許容領域１０７を有する検出領域１０５を走査して検出値Ｓ３を出力する検出部１５と、阻害領域１０６及び許容領域１０７を規定するベゼル２０と、検出部１５から出力された阻害領域１０６の少なくとも１つの検出値Ｓ３に基づいて許容領域１０７への導電性異物の付着を判定する制御部１７と、を備えて概略構成されている。【選択図】図１
2016095743.tif 000002
【特許請求の範囲】
【請求項１】
検出対象の検出が阻害された阻害領域、及び前記検出対象の検出が許容された許容領域を有する検出領域を走査して検出値を出力する検出部と、
前記阻害領域及び前記許容領域を規定する規定部と、
前記検出部から出力された前記阻害領域の少なくとも１つの検出値に基づいて前記許容領域への導電性異物の付着を判定する判定部と、
を備えた入力装置。
【請求項２】
前記判定部は、しきい値を有し、前記阻害領域の検出値が前記しきい値より小さい場合、前記導電性異物の付着を判定する、
請求項１に記載の入力装置。
【請求項３】
前記規定部は、前記検出対象の検出を阻害する厚みを有するベゼルであり、
前記許容領域は、前記ベゼルで囲まれた領域である、
請求項１又は２に記載の入力装置。
【請求項４】
前記阻害領域の表面は、前記許容領域の表面よりも前記導電性異物の接触角が大きい、
請求項１又は２に記載の入力装置。
【請求項５】
前記検出部は、第１の方向に配置された複数の第１の電極と、前記第１の方向と交差する第２の方向に配置された複数の第２の電極と、を有し、
前記阻害領域の下方には、前記第１の電極及び前記第２の電極が立体交差する点が少なくとも１つ存在する、
請求項１乃至４のいずれか１項に記載の入力装置。
【発明の詳細な説明】
【技術分野】
【０００１】
本発明は、入力装置に関する。
【背景技術】
【０００２】
従来の技術として、複数の送信側電極及び受信側電極を有する相互容量方式の静電タッチパネルと、静電タッチパネルへの接触を検出し接触情報を出力する検出部と、接触情報に基づき複数の送信側電極及び受信側電極の各々の検出信号変化量を計算し出力する検出信号変化量計算部と、検出信号変化量に基づき検出信号の変化量分布を計算し出力する変化量分布計算部と、検出信号の変化量分布のピーク値が所定の負の閾値以下であり、かつ検出信号の変化量分布のピーク値が所定の負の閾値以下である静電タッチパネル上の領域の周辺領域における検出信号の変化量分布のピーク値が所定の正の閾値以上のとき、静電タッチパネルへの接触が水滴であると判定する判定部と、を備えたタッチパネル装置が知られている（例えば、特許文献１参照。）。
【０００３】
このタッチパネル装置は、静電タッチパネルの表面に触れているのが水なのか指なのかを判別することができるので、水滴による誤動作を防止することができる。
【先行技術文献】
【特許文献】
【０００４】
【特許文献１】特開２０１２−８８８９９号公報
【発明の概要】
【発明が解決しようとする課題】
【０００５】
しかし、従来のタッチパネル装置は、静電タッチパネルの表面全体に水が付着した場合、検出信号の変化量分布が一様となり、ピーク値が得られなくて水の付着を検出することが困難な問題がある。また従来のタッチパネル装置は、水の付着を検出していない状態でキャリブレーションが行われた場合、水の拭き取りを操作と誤検出する可能性がある。
【０００６】
従って、本発明の目的は、操作がなされる操作面に付着した導電性異物の検出精度を向上させることができる入力装置を提供することにある。
【課題を解決するための手段】
【０００７】
本発明の一態様は、検出対象の検出が阻害された阻害領域、及び検出対象の検出が許容された許容領域を有する検出領域を走査して検出値を出力する検出部と、阻害領域及び許容領域を規定する規定部と、検出部から出力された阻害領域の少なくとも１つの検出値に基づいて許容領域への導電性異物の付着を判定する判定部と、を備えた入力装置を提供する。
【発明の効果】
【０００８】
本発明によれば、操作がなされる操作面に付着した導電性異物の検出精度を向上させることができる。
【図面の簡単な説明】
【０００９】
【図１】図１（ａ）は、第１の実施の形態に係る入力装置の斜視図であり、図１（ｂ）は、入力装置の阻害領域及び許容領域を説明するための上面図であり、図１（ｃ）は、入力装置のブロック図である。
【図２】図２（ａ）は、第１の実施の形態に係る入力装置の許容領域に付着した水と検出領域における検出値の変化量の分布を示す概略図であり、図２（ｂ）は、図２（ａ）に示す水が付着した場合に制御部が生成するテーブルの一例を示す概略図である。
【図３】図３は、第１の実施の形態に係る入力装置の導電性異物の検出動作に関するフローチャートである。
【図４】図４は、第２の実施の形態に係る入力装置の要部断面図である。
【発明を実施するための形態】
【００１０】
（実施の形態の要約）
実施の形態に係る入力装置は、検出対象の検出が阻害された阻害領域、及び検出対象の検出が許容された許容領域を有する検出領域を走査して検出値を出力する検出部と、阻害領域及び許容領域を規定する規定部と、検出部から出力された阻害領域の少なくとも１つの検出値に基づいて許容領域への導電性異物の付着を判定する判定部と、を備えて概略構成されている。
【００１１】
[第１の実施の形態]
（入力装置１の全体構成）
図１（ａ）は、第１の実施の形態に係る入力装置の斜視図であり、図１（ｂ）は、入力装置の阻害領域及び許容領域を説明するための上面図であり、図１（ｃ）は、入力装置のブロック図である。図１（ｂ）は、阻害領域を右肩上がりの斜線で示し、許容領域を右肩下がりの斜線で示している。なお、以下に記載する実施の形態に係る各図において、図形間の比率は、実際の比率とは異なる場合がある。また図１（ｃ）では、主な信号や情報の流れを矢印で示している。
【００１２】
入力装置１は、例えば、検出対象としての操作者の体の一部（例えば、指）や専用のペンで操作面１００に触れることにより、触れた操作面１００上の位置を検出する静電容量式のタッチパッドである。操作者は、例えば、操作面１００に操作を行うことにより、接続された電子機器の操作や文字の入力等を行うことが可能となる。この入力装置１は、例えば、車両の運転席と助手席の間に伸びるセンターコンソール等に配置されている。入力装置１は、一例として、車両に搭載されるカーナビゲーション装置、空調装置、音楽及び映像再生装置等の電子機器と電磁気的に接続される。
【００１３】
この入力装置１は、図１（ａ）〜図１（ｃ）に示すように、検出対象の検出が阻害された阻害領域１０６、及び検出対象の検出が許容された許容領域１０７を有する検出領域１０５を走査して検出値Ｓ３を出力する検出部１５と、阻害領域１０６及び許容領域１０７を規定する規定部と、検出部１５から出力された阻害領域１０６の少なくとも１つの検出値Ｓ３に基づいて許容領域１０７への導電性異物の付着を判定する判定部としての制御部１７と、を備えて概略構成されている。
【００１４】
この導電性異物は、一例として、水である。なお、導電性異物は、水に限定されず、導電性を有し、電荷が操作面１００上に留まるような液体等である。この導電性異物の付着は、一例として、入力装置１が車両に搭載されている場合、飲料がこぼれること等により発生する。また入力装置１が車外に配置された場合、一例として、洗車の際の水や雨天時の雨水等が操作面１００に付着する可能性がある。
【００１５】
規定部は、一例として、図１（ａ）に示すように、入力装置１の筐体２に設けられ、接触した検出対象や導電性異物の検出を阻害する厚みを有するベゼル２０である。このベゼル２０は、阻害領域１０６を規定するように設けられている。このベゼル２０は、図１（ａ）に示すように、４隅が丸くなった開口２１を有している。従って、ベゼル２０の開口２１から露出する面が操作面１００であると共に、許容領域１０７となっている。
【００１６】
ベゼル２０は、一例として、阻害領域１０６に付着した導電性異物が許容領域１０７に移動し易いように、許容領域１０７に向かって傾斜している。後述するＸ電極から阻害領域１０６までの距離は、ベゼル２０の厚み分だけ、Ｘ電極から許容領域１０７までの距離よりも長くなっている。
【００１７】
筐体２は、例えば、検出部１５及び制御部１７を内部に有している。この筐体２は、一例として、ＡＢＳ（Acrylonitrile Butadiene Styren）等の樹脂材料を用いて形成されている。なお規定部は、ベゼル２０に限定されず、導電性異物が阻害領域１０６の後述する立体交差点１１０において検出されない構成であれば良い。例えば、規定部は、Ｘ電極１０及びＹ電極１１の上に配置されるカバーの厚みを変えることで形成されても良い。
【００１８】
（検出部１５の構成）
検出部１５は、交差する第１の方向及び第２の方向に沿って配置された複数の第１の電極及び第２の電極を有し、第１の電極と第２の電極の間の静電容量に基づく検出値Ｓ３を出力するように構成されている。
【００１９】
この第１の方向は、例えば、図１（ｃ）に示すＹ軸方向である。第２の方向は、例えば、Ｘ軸方向である。第１の電極は、Ｙ軸に沿うように等間隔で配置されたＸ電極１０である。第２の電極は、Ｘ軸に沿うように等間隔で配置されたＹ電極１１である。このＸ電極１０及びＹ電極１１は、一例として、線状のセンサワイヤであるが、これに限定されず、矩形状の複数の電極部と、電極部間を接続する複数の接続部と、を含んで構成される電極であっても良い。このＸ電極１０とＹ電極１１とは、検出領域１０５の下方に配置され、互いに絶縁されている。
【００２０】
本実施の形態のＸ電極１０は、一例として、図１（ｃ）に示すように、座標Ｘ０〜座標Ｘ７に対応して配置されている。またＹ電極１１は、一例として、座標Ｙ０〜座標Ｙ６に対応して配置されている。座標Ｘ０〜座標Ｘ７、及び座標Ｙ０〜座標Ｙ６で形成されるＸＹ座標系は、検出領域１０５に設定されている。このＸＹ座標系の原点は、一例として、図１（ｃ）の紙面において左下であり、検出領域１０５の左下である。
【００２１】
この検出領域１０５の４隅の立体交差点１１５〜立体交差点１１８は、図１（ｂ）に示すように、阻害領域１０６に位置している。つまりＸ電極１０とＹ電極１１とが立体交差する点である（Ｘ０、Ｙ０）、（Ｘ０、Ｙ６）、（Ｘ７、Ｙ０）及び（Ｘ７、Ｙ６）は、阻害領域１０６に位置している。
【００２２】
また検出部１５は、駆動部１２と、読出部１３と、算出部１４と、を備えている。駆動部１２は、Ｙ電極１１と電気的に接続されている。この駆動部１２は、座標Ｙ０〜座標Ｙ６のＹ電極１１との接続を周期的に切り替え、制御部１７から出力された駆動信号Ｓ１に基づいて、接続されたＹ電極１１を駆動するように構成されている。この駆動信号Ｓ１は、一例として、正弦波である。
【００２３】
読出部１３は、座標Ｘ０〜座標Ｘ７のＸ電極１０と電気的に接続されている。この読出部１３は、座標Ｘ０〜座標Ｘ７のＸ電極１０との接続を周期的に切り替え、駆動部１２と接続したＹ電極１１と読出部１３に接続されたＸ電極１０との間の静電容量に基づいた読出信号Ｓ２を読み出すように構成されている。読出部１３は、読み出した読出信号Ｓ２を算出部１４に出力する。
【００２４】
算出部１４は、例えば、読出部１３から出力された読出信号Ｓ２をアナログ・デジタル変換してデジタル値を算出し、操作がなされていない際の読出信号Ｓ２のデジタル値と比較し、その変化量を算出するように構成されている。
【００２５】
本実施の形態では、変化量は、一例として、検出物として操作者の操作指が操作面１００に接触した場合、正の変化量となるように算出されるものとする。つまり検出値Ｓ３は、駆動されたＹ電極１１と読み出しが行われたＸ電極１０との間の静電容量が減少すると正の値となり、静電容量が増加すると負の値となるものである。
【００２６】
なお操作がなされていない際のデジタル値は、一例として、入力装置１が動作を開始して最初に行われるキャリブレーションにより決定される。このキャリブレーションがなされる際に、導電性異物の付着により操作面の検出値の分布が一様である場合、その検出値が基準とされ、誤ったキャリブレーションが行われる可能性がある。しかし入力装置１は、許容領域１０７の検出値の分布が一様であっても、阻害領域１０６を含む検出領域１０５の検出値の分布が一様とならないので、導電性異物の付着を検出することが可能となり、正しいキャリブレーションを行うことが可能である。
【００２７】
（制御部１７の構成）
図２（ａ）は、第１の実施の形態に係る入力装置の許容領域に付着した水と検出領域における検出値の変化量の分布を示す概略図であり、図２（ｂ）は、図２（ａ）に示す水が付着した場合に制御部が生成するテーブルの一例を示す概略図である。図２（ａ）は、操作面１００の全面に導電性異物としての水３が付着した様子を図示している。水３は、右肩下がりの斜線で示されている。また図２（ａ）に示す内縁領域１０８は、許容領域１０７の実線と内部の点線との間の領域である。
【００２８】
制御部１７は、しきい値１７０を有し、阻害領域１０６の検出値Ｓ３がしきい値１７０より小さい場合、導電性異物の付着を判定するように構成されている。
【００２９】
具体的には、制御部１７は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。このＲＯＭには、例えば、制御部１７が動作するためのプログラムと、しきい値１７０と、が格納されている。ＲＡＭは、例えば、一時的に演算結果等を格納する記憶領域として用いられる。このＲＡＭには、例えば、テーブル１７１が記憶されている。また制御部１７は、その内部にクロック信号を生成する手段を有し、このクロック信号に基づいて動作を行う。
【００３０】
制御部１７は、操作面１００になされた操作に基づいて操作情報Ｓ４を生成し、接続された電子機器に出力する。また制御部１７は、許容領域１０７、つまり操作面１００に導電性異物が付着していると判定した場合に警告信号Ｓ５を生成し、接続された電子機器に出力する。
【００３１】
しきい値１７０は、例えば、正のしきい値と、負のしきい値と、を有している。正のしきい値は、正の値を有し、検出対象の一例である操作指を検出するためのしきい値である。負のしきい値は、負の値を有し、導電性異物を検出するためのしきい値である。制御部１７は、例えば、取得した１周期分の検出値Ｓ３のうち、負のしきい値より小さい検出値Ｓ３がなく、また少なくとも１つの検出値Ｓ３が正のしきい値より大きい場合、操作が行われたと判定して操作がなされた操作面１００の座標を、検出値Ｓ３が正のしきい値より大きい点の座標に基づいた加重平均等により算出する。
【００３２】
なお本実施の形態の制御部１７は、しきい値１７０が正のしきい値と負のしきい値とにより構成されるが、これに限定されず、ひとつのしきい値により、変化量の増減を判定しても良い。
【００３３】
制御部１７は、例えば、検出値Ｓ３が正のしきい値より大きい場合、静電容量の変化量が正となる増加点として、この検出値Ｓ３が得られたＸ電極１０とＹ電極１１とが立体交差する立体交差点１１０に対応するテーブル１７１に記憶する。図２（ｂ）では、この増加点を、＋を丸で囲んだ記号で示している。
【００３４】
制御部１７は、例えば、検出値Ｓ３が負のしきい値より小さい場合、静電容量の変化量が負となる減少点として、この検出値Ｓ３が得られたＸ電極１０とＹ電極１１とが立体交差する立体交差点１１０に対応するテーブル１７１に記憶する。図２（ｂ）では、この減少点を、−を丸で囲んだ記号で示している。
【００３５】
制御部１７は、例えば、検出値Ｓ３が正のしきい値と負のしきい値の間である場合、操作等を検出しない非検出点としてデジタル値と共にテーブル１７１に記憶する。なお、後述するように、阻害領域１０６の立体交差点１１５〜立体交差点１１８は、操作の有無に関わらず非検出点となり、導電性異物が操作面１００に付着した場合のみ減少点となる。
【００３６】
制御部１７は、例えば、走査して得られた１周期分の検出値Ｓ３としきい値１７０とを比較してテーブル１７１を生成する。この１周期分の検出値Ｓ３とは、座標Ｘ０〜座標Ｘ７のＸ電極１０、及び座標Ｙ０〜座標Ｙ６のＹ電極１１の全ての組み合せの検出値Ｓ３である。
【００３７】
制御部１７は、阻害領域１０６の４隅の立体交差点１１５〜立体交差点１１８の少なくとも１つの検出値Ｓ３が減少点である場合、操作面１００に導電性異物が付着していると判定する。以下では、操作面１００に付着した水の判定について説明する。
【００３８】
（操作面１００に付着した水の判定について）
図２（ａ）に示す水３が操作面１００（許容領域１０７）の全面に付着した場合、許容領域１０７の内部では、検出値Ｓ３が減少点となり、許容領域１０７の縁の領域である内縁領域１０８では、検出値Ｓ３が増加点となる。なお、許容領域１０７の内部とは、図２（ａ）において点線で囲まれた領域であり、許容領域１０７から内縁領域１０８を除いて残った領域である。
【００３９】
また水３は、読出部１３と接続されたＸ電極１０と、駆動部１２と接続されたＹ電極１１と、の上方に位置する場合、水３が短絡経路となり、当該Ｘ電極１０及びＹ電極１１の立体交差点１１０における静電容量が増加し、検出値Ｓ３が減少する。つまり、阻害領域１０６に位置する立体交差点１１５〜立体交差点１１８は、水３が短絡経路となって減少点となる。
【００４０】
従って操作面１００への水３の付着は、阻害領域１０６に位置する立体交差点１１５〜立体交差点１１８の少なくとも１つの検出値Ｓ３が減少点となっているか否かを確認することにより判定することが可能となる。
【００４１】
制御部１７は、導電性異物の付着を判定した場合、操作面１００に導電性異物が付着していることを電磁気的に接続された電子機器に警告させるための警告信号Ｓ５を生成して電子機器に出力する。この警告信号Ｓ５を取得した電子機器は、例えば、車両に搭載された表示装置を用いて導電性異物の拭き取りを促す警告文を表示する警告、音声出力装置を用いて警告音を出力する警告、及び光や振動等を用いた警告の少なくとも１つにより操作者に警告する。
【００４２】
また制御部１７は、導電性異物の付着が判定された後、導電性異物が拭き取られたと判定すると、キャリブレーションを行うように構成されている。この導電性異物の拭き取りの判定は、一例として、許容領域１０７の検出値Ｓ３が減少点から非検出点になったか否かを判定することで可能となる。
【００４３】
以下では、入力装置１の導電性異物の検出動作について、図３のフローチャートに従って説明する。この導電性異物の検出動作は、一例として、入力装置１の電源が投入されて最初に行われるものとする。なお導電性異物の検出動作は、例えば、周期的に行われても良いし、投入後の検出動作に加えて、検出対象の検出動作においてエラーが生じた際にも行われても良い。また導電性異物の検出動作は、例えば、制御部１７がテーブル１７１を作成している際に、検出対象である操作指等の接触では検出されない減少点となる検出値Ｓ３が検出されたことをトリガとして行われても良い。
【００４４】
（動作）
入力装置１の制御部１７は、電源が投入されると、検出部１５から１周期分の検出値Ｓ３を取得する（Ｓ１）。制御部１７は、取得した検出値Ｓ３としきい値１７０とを比較してテーブル１７１を生成する。
【００４５】
制御部１７は、テーブル１７１に基づいて阻害領域１０６に減少点が有るか否かを確認する。制御部１７は、阻害領域１０６の少なくとも１つの検出値Ｓ３が減少点である場合（Ｓ２：Ｙｅｓ）、操作面１００に導電性異物が付着していると判定し、警告信号Ｓ５を生成して出力する（Ｓ３）。
【００４６】
ここでステップ２において、制御部１７は、阻害領域１０６に減少点がない場合（Ｓ２：Ｎｏ）、導電性異物の検出動作を終了する。
【００４７】
（第１の実施の形態の効果）
本実施の形態に係る入力装置１は、操作がなされる操作面に付着した導電性異物の検出精度を向上させることができる。具体的には、入力装置１は、導電性異物の検出を阻害する阻害領域１０６を有するので、阻害領域１０６のいずれか１つの検出値Ｓ３が減少点となるか否かを確認することにより、増加点と減少点の分布から判定する場合と比べて、導電性異物の付着を精度良く判定することができる。また入力装置１は、導電性異物の検出精度が向上して誤検出及び未検出が減少し、誤判定を抑制することができる。
【００４８】
入力装置１は、阻害領域１０６に少なくとも１つの減少点が有るか否かによって導電性異物の付着を判定するので、減少点を確認し、当該減少点の周囲に増加点が有るか否かにより判定する場合と比べて、効率が良く、処理速度が速い。
【００４９】
入力装置１は、操作面１００に付着した導電性異物の検出精度が高いので、導電性異物の拭き取りを操作がなされたと判定する誤判定を抑制することができる。
【００５０】
入力装置１は、阻害領域１０６に位置する４隅の立体交差点１１５〜立体交差点１１８の少なくとも１つが減少点となるか否かによって、導電性異物の付着を判定することができるので、阻害領域１０６にＸ電極とＹ電極が配置され、４より多くの立体交差点がある場合と比べて、効率が良く、処理が早い。
【００５１】
なお変形例として、入力装置１は、立体交差点１１０の少なくとも１つが阻害領域１０６に位置するように構成されても良い。この変形例として、例えば、座標（Ｘ０、Ｙ３）のみが阻害領域１０６に位置するように許容領域１０７には、凹部が形成される。
【００５２】
［第２の実施の形態］
第２の実施の形態は、阻害領域１０６と許容領域１０７とが印刷により形成されている点で上述の実施の形態と異なっている。
【００５３】
図４は、第２の実施の形態に係る入力装置の要部断面図である。図４は、第１の印刷４０上に導電性異物５が付着し、第２の印刷４１上に導電性異物６が付着した状態を模式的に図示している。なお導電性異物５及び導電性異物６は、同一の液体である。
【００５４】
この入力装置１は、図４に示すように、規定部としての印刷部４がカバー１８の表面１８０に、印刷により形成されている。このカバー１８は、例えば、ガラスや樹脂材料を用いて形成されている。Ｘ電極１０及びＹ電極１１は、例えば、カバー１８の裏面１８１側に設けられている。
【００５５】
入力装置１は、阻害領域１０６の表面４００が許容領域１０７の表面（操作面１００）よりも導電性異物との接触角が大きくなるように構成されている。
【００５６】
具体的には、阻害領域１０６及び許容領域１０７は、印刷部４により形成されている。この印刷部４は、阻害領域１０６となる第１の印刷４０と、許容領域１０７となる第２の印刷４１と、から構成されている。
【００５７】
第１の印刷４０は、例えば、図４に示すように、濡れ性が低く、付着した導電性異物５によって、阻害領域１０６の全面が濡れ難いように構成され、導電性異物５の検出を阻害する。従って第１の印刷４０の接触角θ１は、第２の印刷４１の接触角θ２よりも大きい。また第１の印刷４０は、一例として、接触角θ１が鈍角となるように構成されることが好ましい。
【００５８】
第２の印刷４１は、例えば、第１の印刷４０と比べて濡れ性が高くなるように構成されている。第２の印刷４１は、一例として、接触角θ２が鋭角となるように構成されることが好ましい。
【００５９】
この入力装置１は、阻害領域１０６が許容領域１０７よりも濡れ性が低くて全面が濡れ難く、導電性異物の検出が阻害されるので、操作面１００（許容領域１０７）に導電性異物が付着した場合、阻害領域１０６の少なくとも１つの検出値Ｓ３が減少点となり、精度の高い導電性異物の検出を行うことができる。
【００６０】
なお変形例として、阻害領域１０６及び許容領域１０７のいずれか一方が印刷により形成されても良い。
【００６１】
また変形例として、阻害領域１０６及び許容領域１０７は、印刷ではなく、表面の処理により濡れ性を変えて形成されても良い。さらに変形例として、阻害領域１０６の表面であるベゼル２０の表面が許容領域１０７の表面（操作面１００）よりも濡れ性が低くなるように処理が行われていても良い。
【００６２】
さらに、変形例として、入力装置１は、外乱や故障により、許容領域１０７の検出値Ｓ３が一様な分布になった場合、阻害領域１０６の検出値Ｓ３により外乱の影響や故障を判定し、警告信号Ｓ５を出力するように構成されても良い。
【００６３】
上述の実施の形態及び変形例に係る入力装置１は、例えば、用途に応じて、その一部が、コンピュータが実行するプログラム、ＡＳＩＣ（Application Specific Integrated Circuit）及びＦＰＧＡ（Field Programmable Gate Array）等によって実現されても良い。
【００６４】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００６５】
１…入力装置、２…筐体、３…水、４…印刷部、５，６…導電性異物、１０…Ｘ電極、１１…Ｙ電極、１２…駆動部、１３…読出部、１４…算出部、１５…検出部、１７…制御部、１８…カバー、２０…ベゼル、２１…開口、４０…第１の印刷、４１…第２の印刷、１００…操作面、１０５…検出領域、１０６…阻害領域、１０７…許容領域、１０８…内縁領域、１１０…立体交差点、１１５〜１１８…立体交差点、１７０…しきい値、１７１…テーブル、１８０…表面、１８１…裏面、４００…表面
【図１】
2016095743.tif 000003
【図２】
2016095743.tif 000004
【図３】
2016095743.tif 000005
【図４】
2016095743.tif 000006